(57)【要約】【課題】塗装の色艶が均質に得られ、高温の熱を効率良く利用することができる焼付装置を提供する。【解決手段】搬入口２から搬出口３へワークＷを搬送する搬送手段４を備えた焼付室１と、焼付室１へ不活性ガスを供給するガス供給源５と、排出されるガスと供給されるガスとの熱交換を行う熱交換器６と、焼付室１へ供給されるガスを加熱する電気ヒータ１６を有するガス導入部７とを備えた連続焼付装置であって、焼付室１には電気ヒータ１６で加熱された高温ガスを分散させて室内の温度を均質化する噴出口９ａを備えた送風管９を配し、前記搬入口２の内側には、天井側２ａに、ガス供給源５から供給されるガスを下方へ膜状に吹き出して搬入口２を遮蔽するガスの流れを形成する吹出器２０を配し、前記搬出口３の内側には、天井側３ａに、ガス供給源５から供給されるガスを下方へ膜状に吹き出して搬出口３を遮蔽するガスの流れを形成する吹出器３０を配する。【選択図】  図１
0003231650.tif 000002
【実用新案登録請求の範囲】
【請求項１】
搬入口から搬出口へワークを搬送する搬送手段を備えた焼付室と、該焼付室へ不活性ガスを供給するガス供給源と、前記焼付室から排出されるガスと前記ガス供給源から供給されるガスとの熱交換を行う熱交換器と、該熱交換器を経て前記焼付室へ供給されるガスを焼付温度に加熱する電気ヒータを備えたガス導入部と、ワークの焼付に供したガスを前記焼付室から排出するガス導出部と、を備えた連続焼付装置であって、
前記焼付室には、前記電気ヒータで加熱された高温ガスを分散させて室内の温度を均質化する噴出口を備えた送風管を配し、
前記搬入口の内側には、天井側に、ガス供給源から供給されるガスを下方へ膜状に吹き出して搬入口を遮蔽するガスの流れを形成する吹出器を配し、前記搬出口の内側には、天井側に、ガス供給源から供給されるガスを下方へ膜状に吹き出して搬出口を遮蔽するガスの流れを形成する吹出器を配したことを特徴とする連続焼付装置。
【請求項２】
吹出器の外側の天井側に、ガス供給源から供給されるガスを上方から下方に向けて膜状に吹き出して搬入口を遮蔽するガスの流れを形成する第２の吹出器を配したことを特徴とする請求項１に記載の連続焼付装置。
【請求項３】
吹出器へのガス供給源を、不活性ガス製造機で製造されたガスとするか、又は、焼付室から排出されて熱交換器を通過した排ガスとしたことを特徴とする請求項１又は２に記載の連続焼付装置。
【請求項４】
ガス導出部に、排ガス中の溶剤を熱分解可能な温度に加熱する高温電気ヒータを備えたことを特徴とする請求項１から３のうちのいずれかに記載の連続焼付装置。
【請求項５】
ガス導出部に、排ガス中の溶剤を濾過又は分解して処理する排ガス処理器を備えたことを特徴とする請求項１から３のうちのいずれかに記載の連続焼付装置。
【請求項６】
熱交換器と排ガスを大気中に排出する排出口との間に排ガス濾過器を備えたことを特徴とする請求項１から５のうちのいずれかに記載の連続焼付装置。
【考案の詳細な説明】
【技術分野】
【０００１】
本考案は塗装した物品を搬送しつつ連続して焼付する連続焼付装置に関する。
【背景技術】
【０００２】
従来、金属製の事務機器や自動車の部品等の焼付用塗料を塗った物品（以下ワークと呼ぶ）が、焼付温度に加熱する熱源を備えた焼付装置により焼付加工されている。
その熱源が化石燃料の装置では、バーナー等で燃焼されて煤が発生するので清掃等の維持管理が容易ではなく、これに対して、熱源が電気ヒータの装置では、煤は発生しないのでメンテナンスが容易となり、更に、発熱体の電気ヒータはバーナー等の燃焼機構に比べると簡単な構造なので、対象とするワークの大きさや種類等に応じて装置の小型化等の多様化が容易となる。
【０００３】
このような電気ヒータを用いた焼付装置については、例えば、下記特許文献１の図３に示された実施例には、焼付して発生する汚染ガスは外部に排出し、熱交換器によってその汚染ガスの熱で外気を加熱して炉内へ供給し、そのガスを更に加熱室内に設けた電気ヒータで焼付可能な温度に高めてワークの焼付をする加熱装置が示されている。この装置では、加熱室の側壁に設けられた電気ヒータによってワークが直接加熱されるが、そのワークの裏側は直接加熱することはできないので表裏に温度差が生じて均質な焼付ができないという問題がある。
又、例えば、下記特許文献２に示された塗装物の乾燥・焼付炉では、乾燥・焼付部に設けた複数の開閉量調整板の開閉によって空気の流れを均一化することで均等な乾燥・焼付が行えるとしている。しかしこの装置では、開閉量調整板から離れた場所の空気の流れまでは調節できないので乾燥・焼付部内の温度の均一化は難しく、又複数ある開閉量調整板の開閉制御は複雑で面倒である。
なお、上記特許文献１、２の装置では、いずれも扉の開閉によってワークが出し入れされるものなので、出し入れ時に焼付作業を停止するため大量高速の連続焼付には適さず、又扉を開閉する毎に高温ガスが扉外へ流出して高い熱効率を得るのが困難となる。
【０００４】
一方、焼付用の熱源は電気ではないが、下記特許文献３には、出入口に炉内の熱の流出を防ぐエアーカーテンを設けた乾燥焼付装置が示されている。この装置では、ワークは気体であるエアーカーテンを連続的に潜り抜けて炉内へ搬送されるが、潜り抜ける際にワークが外気を引き込んでカーテンの気流を乱し、ワークの搬送速度が大きいほどその乱れが大きくなってエアーカーテンの遮蔽機能が損なわれることとなる。
【先行技術文献】
【特許文献】
【０００５】
【特許文献１】実開平３−６２９５号公報
【特許文献２】特開２０１３−７９７８２号公報
【特許文献３】特開昭４７−１８９３１号公報
【考案の概要】
【考案が解決しようとする課題】
【０００６】
本考案は上記実情に鑑みてなされたもので、膜状のガスの流れで確実に遮蔽された出入口を潜って、焼付室内に塗装したワークを連続的に搬送させつつ、不活性ガスが均質に分散された焼付室内で高品質の焼付塗装製品が得られる熱効率の優れた連続焼付装置を提供することを目的とする。
【課題を解決するための手段】
【０００７】
上記目的を達成するために本考案は、搬入口から搬出口へワークを搬送する搬送手段を備えた焼付室と、該焼付室へ不活性ガスを供給するガス供給源と、前記焼付室から排出されるガスと前記ガス供給源から供給されるガスとの熱交換を行う熱交換器と、該熱交換器を経て前記焼付室へ供給されるガスを焼付温度に加熱する電気ヒータを備えたガス導入部と、ワークの焼付に供したガスを前記焼付室から排出するガス導出部と、を備えた連続焼付装置であって、前記焼付室には、前記電気ヒータで加熱された高温ガスを分散させて室内の温度を均質化する噴出口を備えた送風管を配し、前記搬入口の内側には、天井側に、ガス供給源から供給されるガスを下方へ膜状に吹き出して搬入口を遮蔽するガスの流れを形成する吹出器を配し、前記搬出口の内側には、天井側に、ガス供給源から供給されるガスを下方へ膜状に吹き出して搬出口を遮蔽するガスの流れを形成する吹出器を配したことを特徴とする。
【０００８】
請求項２に記載の考案は、上記考案において、前記吹出器の外側の天井側に、ガス供給源から供給されるガスを上方から下方に向けて膜状に吹き出して搬入口を遮蔽するガスの流れを形成する第２の吹出器を配したことを特徴とする。
【０００９】
請求項３に記載の考案は、上記考案において、前記吹出器へのガス供給源を、不活性ガス製造機で製造されたガスとするか、又は、焼付室から排出されて熱交換器を通過した排ガスとしたことを特徴とする。
【００１０】
請求項４に記載の考案は、上記考案において、前記ガス導出部に、排ガス中の溶剤を熱分解可能な温度に加熱する高温電気ヒータを備えたことを特徴とする。
【００１１】
請求項５に記載の考案は、上記請求項１から３のうちのいずれかに記載の考案において、前記ガス導出部に、排ガス中の溶剤を濾過又は分解して処理する排ガス処理器を備えたことを特徴とする。
【００１２】
請求項６に記載の考案は、上記考案において、前記熱交換器と排ガスを大気中に排出する排出口との間に排ガス濾過器を備えたことを特徴とする。
【考案の効果】
【００１３】
本考案の連続焼付装置は上記構成としたことで以下の効果を奏する。
焼付に供されて溶剤を多く含んだガスは焼付室から導出部を経て排出され、ガス供給源から供給される清浄な不活性ガスが導入部で焼付温度に加熱されて焼付室へ導入されるので、焼付室内の高温ガスに含まれる溶剤の濃度を常に低く保つことが可能となる。
これに加えて、導入部の電気ヒータで焼付温度に加熱された高温ガスが、焼付室内に敷設され送風管の複数の噴出口から分散されて噴出し、焼付室内に均一な温度で溶剤の濃度が低い均質な高温ガスで満たされた焼付領域が得られる。
この結果、焼付領域の中において、ワークの表面の塗料が均質に焼付けされて均一な色艶となった高品質のワークを得ることが可能となる。
【００１４】
又、焼付室の搬入口と搬出口には、天井側の吹出器から下方へ膜状に吹き出され、搬入口と搬出口を遮蔽するガスの下降流が形成される。
このガスの流れを潜って、搬送手段によって運ばれたワークが通過するときに、搬送手段とワークの動きに連動してその周囲に乱れたガスの流れが発生するが、その際に、ガスの下降流がその乱れたガスの流れを制して室内と室外とを確実に遮蔽することが可能となる。
そして、同時にその下降流が床に突き当たって拡散し外気を外側へ押し出す方向に働くことで外気が室内へ侵入するのを確実に防止可能となる。
又、天井側の吹出器から吹き出されたガスに接する室内側の高温のガスは、吹出器から吹き出されたガスの下降流によって下方へ誘導され、その下降流が床に突き当たって拡散する流れに押されて室内側へ戻る流れとなり、室内の高温ガスの外部への漏出を確実に防止することが可能となる。
この結果、搬入口及び搬出口にワークを連続して高速に通過させても、ガスの下降流で搬入口及び搬出口を確実に遮蔽し、高温ガスの流出と外気の流入から起こる焼付室内の温度低下を防いで焼付領域のガスの高温状態を維持することが可能となる。
【００１５】
又、熱交換器によって、焼付に供された高温ガスの熱によってガス供給源から供給される清浄な不活性ガスを加熱することは、捨てられてしまう排ガスの熱を再利用するものなので焼付装置としての熱効率を高めることが可能となる。
【００１６】
請求項２に記載の考案は、前記天井側の第２の吹出器によって、下方へ膜状に吹き出されたガスの下降流が、前記内側の吹出器の外側に新たに形成され、上記前側のガスの下降流との間にガスの遮蔽層が形成される。
この遮蔽層はその容積と搬入口からの奥行きの存在によって、ワークが高速で通過しても連動して起こる乱れたガスの流れを制して室内と室外とを確実に遮蔽することが可能となる。
このため、この形態ではワークを大量で高速に焼付可能となって焼付作業効率を大幅に高めることが可能となる。
【００１７】
請求項３に記載の考案は、前記吹出器へのガス供給源を、不活性ガス製造機とすれば、製造されたピュアな不活性ガスの流れで搬入口及び搬出口を遮蔽でき、そのガスがワークの搬入に伴って焼付室の中に流入してしまったとしてもピュアな不活性ガスには溶剤が全く含まれていないので塗装面の色艶への悪影響が起こらず高品質の焼付が可能となる。
一方、前記第２の吹出器を含めた両方の吹出器へのガス供給源を、焼付に使用されて熱交換器を通過した排ガスとすれば、新たな不活性ガスを使用せずに、捨て去られる排ガスの熱を再利用した後、更に搬入口を遮蔽するのに再利用し、このように排ガスを２度にわたってことができるのでピュアな不活性ガスの消費コストを削減し、不活性ガスをより効率良く消費することが可能となる。その際、排ガス処理器を経たガスには溶剤が殆ど含まれていないので塗装面の色艶への悪影響が殆ど起こらない。
又、前記搬入口の外側の第２の吹出器の方だけに熱交換器を通過した排ガスを使用する場合には、内側では、ピュアな不活性ガスの流れによって焼付室内のガスを汚すことなく高い焼付品質を保ち、外側では、捨て去られる排ガスの熱を再利用した後、更に搬入口を遮蔽するのに利用し、このように排ガスを２度にわたって再利用することで不活性ガスをより効率良く消費することが可能となり、内側と外側のそれぞれの利点を生かした活用が可能となる。
【００１８】
請求項４に記載の考案は、前記ガス導出部の設けた高温電気ヒータの加熱で、排ガス中に含まれた溶剤を熱分解して無害化することができる。
その後、その排ガスは熱交換器へ送り込まれるが、その際、排ガス中に含まれた溶剤は熱分解されているので熱交換内の流路に溶剤が付着するのが防止され、流路の汚れによる熱交換性能の低下が防止され、熱交換機の使用寿命を延ばすことができるようになる。
又、高温電気ヒータの加熱温度は焼付温度よりも高いので、ガス供給源から供給される清浄な不活性ガスを熱交換内で焼付温度できる高い温度まで高めてから焼付室へ導入することが可能となる。
【００１９】
請求項５に記載の考案は、ガス導出部に設けた排ガス処理器によって、排ガス中から焼付で発生した溶剤が焼付温度以下の温度で濾過又は分解して処理されて除去することができる。
【００２０】
請求項６に記載の考案は、前記熱交換器と排ガスの外部への排出口との間の設けた排ガス濾過器によって、排ガス中の溶剤を濾過して除去し、最終的には排出されるガスによる大気汚染が防止可能となる。
そして、この排ガス濾過器では、熱交換器を通過して温度が低下した排ガスに使用されるので、発火点が低く、製品単価の安い紙製や樹脂製の濾材の使用が可能となり、その費用の節減に役立つこととなる。
【図面の簡単な説明】
【００２１】
【図１】本考案の模式図である。
【図２】別の形態を示す模式図である。
【図３】（イ）不活性ガス製造機を不活性ガスの供給源とし、（ロ）は排ガスを不活性ガスの供給源としたガスの使用態様を示す要部の模式図である。
【図４】別の形態の、（イ）不活性ガス製造機を不活性ガスの供給源とし、（ロ）は排ガスを不活性ガスの供給源とし、（ハ、）は不活性ガス製造機及び排ガスを不活性ガスの供給源としたガスの使用態様を示す要部の模式図である。
【考案を実施するための形態】
【００２２】
本考案を実施するための形態を、以下図を参照して説明する。
本考案の連続焼付装置は、図１に示すように、ワークＷの焼付を行う焼付室１の前後に設けた搬入口２と搬出口３とを除いて、周囲をステンレス等の耐火材で被覆し、該搬入口２の外側から搬出口３の外側へと焼付室１内を通って対象の物品を運ぶ搬送手段４を設置する。
本考案で焼付対象とするワークＷは、例えば、焼付用の塗料が塗られた金属製の事務機器、バンパーなどの自動車の部品及び缶等である。
焼付室１は、焼付するワークＷに適する大きさの焼付領域を備える。そして、該焼付領域内において、焼付対象のワークＷの種類により焼付温度は異なるが、通常、約２５０〜３５０°Ｃ程度の高温ガス中でワークが焼付される。
前記搬送手段４は、個々の塗装したワークＷを並べて連続的に搬送する装置であり、その装置は、ワークＷの運搬に適したベルトコンベアや吊下げ式の移動機等が使用可能である。
これらの搬送手段４は周知のものであり、図１では一点鎖線で示している。なお、図２では搬送手段４は省略して示している。
【００２３】
焼付用塗料で塗装された多数の個々のワークＷは、前記搬送手段４によって搬入口２と搬出口３の開口を遮るように流れる膜状のガスを潜って前記焼付室１内に搬送され、その移動中に室内の高温ガスでワークが焼付される。
以下、ワークＷが搬入される搬入口２側を前側とし、搬出される搬出口３側を後側として説明する。
【００２４】
本考案では、前記焼付室１内の焼付領域がワークＷの材質や塗料の種類に応じた焼付温度となるように温度調節された高温ガスを、焼付室１の外部からその内部へ送り込むものであり、焼付室１の内部で電気ヒータによって直接ワークを加熱するものではない。
焼付する高温ガスは、使用される焼付塗料が酸化による変色等を起すことない不活性ガスを使用する。
例えば、アルゴンガスや窒素ガス等の不活性ガスが使用可能であるが、窒素ガスを使用する場合には窒素ガス製造機で製造し、これをガス供給源５とする。
そして、その不活性ガスは、図１に示すように、ガス供給源５からガス導入管１１を通って電気ヒータ１６を備えたガス導入部７で焼付温度に加熱してから前記焼付室１内へ導入する。
その際、例えば、該ガス導入管１１にガス圧調整器１４を設けることでガス圧を調整しつつガスを前記焼付室１へ設定圧で導入することができる。つまり、前記焼付室１内のガス圧は、該ガス圧調整器１４によって最適な値に決められる。
なお、ガス圧を安定させるためガス圧を調節する複数のブロアを該ガス導入管１１の適宜位置に設けても良い。
【００２５】
不活性ガスは前記ガス供給源５からガス導入管１１に導かれて前記焼付室１へ導入されるが、前記焼付室１の手前にガス導入部7が設けられ、そのガスは該ガス導入部７を通って前記焼付室１に導入される。
該ガス導入部７は、ガス導入管１１の前記焼付室１外部に隣接させるか又は前記焼付室１に近い位置に設けることができる。
そして、前記ガス導入管１１からガス導入部７中を通過するガスを電気ヒータ１６で焼付温度である約２５０〜３５０°Ｃに加熱してからその高温ガスを前記焼付室１へ導入する。
該電気ヒータ１６にはシーズー線等の電気による発熱体を使用することができる。
そして、前記焼付室１内の焼付領域には温度センサー（図中省略）を設けて、その温度センサーで検知された温度により電気ヒータ１６の強弱及びオン・オフを制御し、焼付領域内のガスが一定の焼付温度に維持されるよう最適な温度に制御することができる。
この温度の制御によって、例えば、焼付室１内の温度センサーが感知した温度が低い場合には、電気ヒータ１６  で加熱する温度を高く調節して、焼付領域を焼付に最適な温度に保つことができるようになる。
【００２６】
使用される焼付用塗料には有機溶剤が含まれており、前記焼付室１内でワークＷを連続して焼付することでガス中にはワークＷ表面の塗料から発生した溶剤及び溶剤が高温の焼付高温で変化した溶剤由来物質（以下まとめて溶剤と呼ぶ）の混入量が増加する。
この溶剤の混入量が増加するとワークＷの塗装面の色艶に悪影響が生じる。
このため、例えば、不活性ガス中の溶剤の濃度がワークＷの焼付が終了する室内後部でより大きくなる場合にはその高い濃度に汚れたガスを優先的に排出できるように焼付室１の後部側室内にガス導出管１２を接続する。
そして、該ガス導出管１２内の排ガスは該ガス導出管１２に設けた排気ブロア１０で強制的に外部に排出する。
なお、ガス圧を安定さえるためガス圧を調節する複数の排気ブロアを該ガス導出管１２の適宜位置に設けても良い。
【００２７】
又、前記ガス導出管１２には焼付室１に近い位置又は隣接させて焼付室１内のガスを焼付室１へ導出させるガス導出部８を設ける。
そして、該ガス導出部８にガス中の溶剤を無害化するために排ガス処理器１７を設けることができる。
前記ガス導出管１２は、前記焼付室１から大気中へ排出させる排気口までの前記焼付室１内のガスを外部へ排出する流路となる管体を指し、排気ガスはガス導入管１１の中を通って最終的に排気ブロア１０で外部の大気中へ排出される。
前記排ガス処理器１７は、溶剤をフィルタで濾過して除去するか、又は溶剤を触媒で分解する構造を有するガスの処理器である。
前記フィルタ及び触媒は、既存のものが使用でき、焼付室１では２５０〜３５０°Ｃの高温のままガス導出部８に入るので、例えばフィルタは、その高温に耐える金属焼結フィルタの使用が可能である。又、触媒もその高温に耐えるものを使用することができる。
【００２８】
又、前記ガス導出管１２の前記排ガス処理器１７より下流となる部位と、前記ガス導入管１１の電気ヒータ１６より上流となる部位とを交差させ、その交差部分に熱交換器６を設ける。
該熱交換器６は、前記焼付室１から排出される溶剤を含む高温の排ガスと前記焼付室１へガス供給源５から送られる清浄で低温のガスとの熱を交換し、焼付室１から導出させる高温の排ガスで焼付室１へ導入させる清浄な不活性ガスの温度を高めるものである。
該熱交換器６では清浄な不活性ガスの温度を上げることができるが、別に加熱する手段を有していない場合には焼付する温度にまでは加熱することができないので、更に前記電気ヒータ１６でガスを焼付に必要な温度に、例えば３００°Ｃ程度にまで高めてからその高温ガスを焼付室１へ送る。
【００２９】
一方、熱交換器６内で常温の供給された清浄な不活性ガスの温度を高めた高温の排ガスは、熱交換器６を通過しで５０〜７０°程度に温度が低下し、排気ブロア１０で外部に排出される。
その際、熱交換器６と排気ブロア１０との間に、排ガス濾過器１９を設けることで、最終的に溶剤由来の化学物質等の大気汚染物質を吸着し、除去して大気中に排出することができる。
該排ガス濾過器１９を通過する排ガスは熱交換器６の性能により温度が５０〜７０°程度に低下させることができるので、該排ガス濾過器１９に使用するフィルタ等の濾過部材は、金属製のものではなく、紙製や樹脂製のものも使用でき、又吸着力の大きい活性炭を使用することも可能である。
この結果、排ガス中から殆どの有害な微粒子やガス状の化学物質などの大気汚染源となる物質が除去されて排ガスが大気中へ排出されることとなる。
【００３０】
又、大気汚染源となる溶剤は６００°Ｃ以上の高温では熱分解されて、無臭化及び無害化することができるが、本考案では、図１に示すように、前記ガス導出部８のガス導出管１２の排ガス処理器１７と該熱交換器６との間に６００°Ｃ以上の高温に加熱可能な高温電気ヒータ１８を設けることで、排ガスが熱交換器６の流入される前に該高温電気ヒータ１８で排ガスを６００°Ｃ以上の高温に加熱してその中の溶剤を無害な物質に熱分解させることが可能となる。
なお、該高温電気ヒータ１８は、図示はしないが、前記排ガス処理器１７を設けずに前記ガス導出部８に設けることができる。
この形態では、６００°Ｃ以上の高温ガスは、そのまま熱交換器６へ送り込まれるので、ガス供給源５から常温で供給される清浄な不活性ガスはその高温の熱との熱交換がなされ、該熱交換器６は、ガス導入部７の温度が焼付室１で焼付できる温度以上の高温となる熱交換性能のものを使用するができる。
即ち、排ガス中の溶剤の熱分解と、焼付室１に導入する不活性ガスの加熱とが同時にできるようになる。
そして、その不活性ガスが熱交換器６を出た時点で、３５０°Ｃ程度の温度にそのガスの温度を調節して下げれば、焼付室１直前のガス導入部７の電気ヒータ１６による不活性ガスへの加熱は極めて少なくて済むこととなるので、排ガス中の溶剤の熱分解と装置全体の熱効率とを両立させることが可能となる。
【００３１】
又、導入された清浄な不活性ガスは、前記電気ヒータ１６で加熱されて焼付に必要な温度に調節されるが、そのまま直接焼付室１内へは入れない。
前記焼付室１内に送風管９を敷設し、該送風管９の基端部を前記ガス導入管１１に接続し、前記電気ヒータ６で加熱された高温ガスは前記ガス導入管１１から該送風管９内へ圧送される。
該送風管９には高温ガスを室内に分散状態に噴出させる多数の噴出口９ａを長い送風管９に分散させて備える。
その噴出口９ａから室内に分散状態にガスを噴出させることによって室内の温度を均一化することが可能となる。
これに対して、例えば、噴出口９ａが２、３個程度の少ない数で室内に分散されていない場合には、高温ガスを室内に入れたとき、その少ない噴出口９ａから離れで温度が低くなってしまう領域が増えて、焼付領域全体を均一な温度にすることが困難となるので好ましくない。
【００３２】
前記該送風管９は、例えば、図１に示すように、分岐させた焼付室１の搬入口２寄り部位から搬出口３寄り部位にまで届くような長い送風管９を焼付室１内の天井１ａの左右両側と床１ｂ側の左右両側に平行に敷設し、該送風管９に噴出口９ａを多数分散させて設けることができる。
この場合、各噴出口９ａは室内の形状に応じて大小異なる口径とすることができ、又各噴出口９ａの噴出させる方向を、一方では搬入口２側の噴出口９ａは搬入口２に向けず、他方では搬出口３側の噴出口９ａは搬出口２に向けず、全ての噴出口９ａから噴出されたガスの流れが室内に調和して分散できるよう各噴出口９ａの向きを決める。
該噴出口９ａによって、焼付室１内の空間全域に渡ってほぼ同じ温度のガスが行き渡り、室内の焼付領域を均一な温度とすることができる。
そして、このように送風管９により温度の偏りが解消されて均一な焼付温度となる。
又、溶剤で汚れたガスは排出されると同時にガス供給源５から供給された清浄な不活性ガスが導入されて溶剤の濃度が低く保たれる。
この結果、焼付温度が均一で溶剤の濃度が低い均質なガスで満たされた焼付領域の中で、塗料の色艶が良好で均質な焼付塗装された高品質の製品が得られることとなる。
【００３３】
そして本考案は、前記焼付室１の前後の搬入口２と搬出口３の内側に、その開口部の内側と外側とを仕切るようにガスを膜状に流して、開口部の内側の高温のガスと外側の常温の空気との流通を遮断する構造を有しているが、次にその形態について説明する。
【００３４】
その基本的な形態は、図１に示すように、前記搬入口２の内側には、天井２ａ側に、ガス供給源５から供給された不活性ガスを上方から下方に向けて膜状に吹き出して搬入口を遮蔽するガスの流れを形成する吹出器２０を配設し、前記搬出口３の内側にも、前記搬入口２側と前後対称となるよう、天井３ａ側に、ガス供給源５から供給された不活性ガスを上方から後方斜め下方に向けて膜状に吹き出して搬出口３を遮蔽するガスの流れを形成する吹出器３０を配設する。
【００３５】
前記搬入口２の天井２ａ側に設ける前記吹出器２０は、モータで回転するファン２０ａと吹出口２０ｂを備え、該吹出口２０ｂは、左右両側の長さが前記搬入口２の天井面の左右の側壁まで達する程度の長さに細長く形成して、その細長い開口部からはガスが一枚の膜状に流れるようにする。
該吹出口２０ｂの吹き出し方向を下向きに設ける。
この結果、該吹出口２０ｂから噴出して膜状となったガスの下降流Ｆ１を発生させ、その下降流Ｆ１が搬入口を遮蔽することとなる。
【００３６】
前記搬出口３の天井３ａ側に設ける前記吹出器３０は前記搬入口２の吹出器２０と同様に、モータで回転するファン３０ａと吹出口３０ｂを備え、該吹出口３０ｂは、左右両側の長さが前記搬出口３の天井面の左右の側壁まで達する程度の長さに細長く形成して、その細長い開口部からはガスが一枚の膜状に流れるようにする。
該吹出口３０ｂの吹き出し方向は下向きにする。
この結果、該吹出口３０ｂから噴出して膜状となったガスの下降流Ｆ２を発生させ、その下降流Ｆ２が搬入口を遮蔽することとなる。
【００３７】
上記の如く、前記搬入口２と搬出口３の天井２ａ、３ａ側の吹出器２０、３０によって作り出されるガスの下降流Ｆ１、Ｆ２れは、前記搬入口２と搬出口３の開口空間を確実に遮断する。
そして、焼付室１内の高温のガスは室外に漏出不能となり、焼付室１外の冷たい外気を焼付室１内へ侵入不能にブロックする。
【００３８】
なお、焼付室１のガス圧は、焼付室１内のガスをガス導入管１２を介してモータの回転で強制的に排出させる排気ブロア１０によって減圧されるが、焼付室１内へガスをガス導入管１１を介して圧送するガス圧調整器１４によって、焼付室１内のガス圧が調整され、搬入口２及び搬出口３から焼付室１内へ温度低下の原因となる外気の流入が起こらないように、そのガス圧の値は外気圧よりも若干高い値とすることが好ましい。
これに加えて、前記吹出器２０、３０の吹出口２０ｂ、３０ｂから吹き出されるガスの下降流Ｆ１、Ｆ２は床２ｂ、３ｂに当って拡散されて、外向きに搬入口２及び搬出口３へ向かって流れるので、搬入口２及び搬出口３から侵入しようとする外気は搬入口２及び搬出口３の外側へと押し出されることとなる。
【００３９】
又、前記搬入口２の内側において、図２に示すように、前記下降流Ｆ１の外側にもう一つ別の下降流Ｆ３を発生させる形態が可能である。
次にその形態を説明する。
前記搬入口２の内側には、例えば、図２に示すように、前記吹出器２０の外側の天井２ａに、ガス供給源５から供給されたガスを上方から下方に向けて膜状に吹き出して搬入口を遮蔽するガスの下降流Ｆ３を形成する第２の吹出器２１を配設する。該第２の吹出器２１はファン３０ａとガスを膜状に吹き出す吹出口３０ｂを備える。
この結果、第２の吹出器２１から噴出した膜状の下降流Ｆ３は、上記前側の吹出器２０から下降流Ｆ１との間にガスの遮蔽層を形成することとなる。
この遮蔽層によりワークＷが高速で通過しても連動して起こる乱れたガスの流れを制して室内と室外とを確実に遮蔽することが可能となる。
従って、この形態は、大量のワークＷを高速焼付するに適し、焼付作業効率をより高めることが可能となる。
【００４０】
なお、前記搬出口３側にも、前記搬入口２の第２の吹上器２１と同様に、前記吹上器３０の外側に新たな第２の吹上器３１を設けることがきる。この場合の第２の吹上器３１は、前記搬入口２の第２の吹出器２１と同様にファン３１ａとガスを膜状に吹き出す吹出口３１ｂを備える構造とすることができる。
【００４１】
又、上記如く、前記吹出器２０、３０へ送る不活性ガスは、図３の（イ）に示すように不活性ガス製造機を不活性ガスの供給源５とし、ガス導入管１３を介して前記吹出器２０、３０へ接続することができるが、これとは別に前記不活性ガス製造機ではなく、焼付に供されて熱交換器を通過した排ガスとすることもできる。
その排ガスとした場合には、例えば、図４の（ハ）に示すように、前記熱交換器６と前記排気口側の排気ブロア１０とを繋ぐガス導出管１２の途中を分岐部１５ａで分岐させて接続した排ガス供給管１５で前記吹出器２０、３０へ排ガスを送れるようにする。
この場合、前記排気ブロア１０の稼働を停止させて吹出器２０、３０のファン２０ａ、３０ａを稼働させることによって、ガス導出管１２から排ガスが前記吹出器２０、３０へ流れることとなる。
この場合には、本来捨て去られてしまう排ガスを、搬入口２と搬出口３の両側の開口部を遮蔽するために再利用することが可能となる。
【００４２】
又、第２の吹出器２１、３１を設けた形態では、排ガスの熱は熱交換器６を通過させてその熱を利用した後に、第２の吹出器２１、３１へ導出して開口部のガスの流れによる遮蔽に使用してから、最後に搬入口２と搬出口３から外部へ放出されるようにすることができる。
【００４３】
なお、不活性ガスの供給源５として、図３の（イ）及び図４の（イ）に示すように不活性ガス製造機のみを使用する場合と、図３の（ロ）及び図４の（ロ）に示すように排ガスのみを使用する場合と、図４の（ハ）に示すように両方を使用する場合とが可能である。
その両方を使用する場合には、図２に示すように、焼付室１に近い吹出器２０の方には不活性ガス製造機からの清浄な不活性ガスを供給するガス供給管１３を接続し、焼付室１から遠い第２の吹出器２１、３１の方には排ガスを供給する排ガス供給管１５を接続し、清浄なガスと汚れたガスとを使い分けることができる。
【００４４】
そして、前記搬入口２内の第２の吹出器２１には、汚れている排ガスを使用しても、ワークＷが連続して搬入されるときに、その内側の吹出器２０からの下降流Ｆ１とその間の遮蔽層によって、汚れた排ガスはブロックされて焼付室１内へ侵入することはできなくなる。
又、焼付室１側の吹出器２０へは、清浄な不活性ガスが供給されるので、そのガスが焼付室１内に流入したとしても、ワークＷの品質低下を引き起こすことはなく、その際、使用される排ガスは排ガス処理器１６、高温電気ヒータ１８、排ガス濾過器１９のいずれかで処理されているので、溶剤の混入量は極めて少なくなっており、たとえ開口領域を遮蔽するガスが焼付室１内に流入したとしても殆どワークＷの品質低下を引き起こすことはない。
【００４５】
なお、温度計、圧力計、風速計、流量計、ガス濃度計等を適宜場所に設けて、焼付室１の温度を最適な数値に制御するなど、装置全体の各部を数値で監視しつつその計測した数値に基づいて制御し、熱効率や安全性を高めるようコントロールすることができる。
【産業上の利用可能性】
【００４６】
本考案で焼付対象となるワークは、塗装された金属に限定するものではなく、ワークの塗料及び材質に適した温度とすることで、プラスチック、セラミック等の各種素材の製品の焼付にも利用することができる。
【符号の説明】
【００４７】
１  焼付室
１ａ  天井
１ｂ  床
２  搬入口
２ａ  天井
２ｂ  床
２０  吹出器
２１  第２の吹出器
３  搬出口
３ａ  天井
３ｂ  床
３０  吹出器
３１  第２の吹出器
４  搬送手段
５  ガス供給源
６  熱交換器
７  ガス導入部
８  ガス導出部
９  送風管
９ａ  噴出口
１０  排気ブロア
１１  ガス導入管
１２  ガス導出管
１３  ガス供給管
１４  ガス圧調整器
１５  排ガス供給管
１５ａ  分岐部
１６  電気ヒータ
１７  排ガス処理器
１８  高温電気ヒータ
１９  排ガス濾過器
Ｆ１  下降流
Ｆ２  下降流
Ｆ３  下降流
Ｆ４  下降流
Ｗ  ワーク
【図１】
0003231650.tif 000003
【図２】
0003231650.tif 000004
【図３】
0003231650.tif 000005
【図４】
0003231650.tif 000006